(57)【要約】【課題】コンテンツに対して著作権管理規格に応じた可能な処理を簡便に行うことができる「コンテンツ処理装置およびコンテンツ処理方法」を提供すること。【解決手段】コンテンツの一覧を表示部６に表示するコンテンツ一覧表示処理装置８，９と、前記コンテンツの著作権管理規格を、前記コンテンツの一覧における各コンテンツにそれぞれ対応させた状態として前記コンテンツの一覧とともに前記表示部６に表示する著作権管理規格表示処理装置８，９とを備えたこと。【選択図】図１
2007257766.tif 000002
【特許請求の範囲】
【請求項１】
コンテンツを記憶するコンテンツ記憶装置と、
このコンテンツ記憶装置によって記憶されているコンテンツの著作権管理規格を記憶する著作権管理規格記憶装置と、
前記コンテンツ記憶装置によって記憶されているコンテンツの付加情報を記憶する付加情報記憶装置と、
この付加情報記憶装置によって記憶されている前記付加情報を用いて、前記コンテンツ記憶装置によって記憶されているコンテンツの一覧を表示部に表示するコンテンツ一覧表示処理装置と、
前記著作権管理規格記憶装置によって記憶されている前記著作権管理規格を、前記一覧における各コンテンツにそれぞれ対応させた状態として前記一覧とともに前記表示部に表示する著作権管理規格表示処理装置と
を備えたことを特徴とするコンテンツ処理装置。
【請求項２】
コンテンツを記憶するコンテンツ記憶装置と、
このコンテンツ記憶装置によって記憶されているコンテンツの著作権管理規格を記憶する著作権管理規格記憶装置と、
前記コンテンツ記憶装置によって記憶されているコンテンツの付加情報を記憶する付加情報記憶装置と、
この付加情報記憶装置によって記憶されている前記付加情報および前記著作権管理規格記憶装置によって記憶されている前記著作権管理規格を用いて、前記コンテンツ記憶装置によって記憶されている前記コンテンツの一覧を、前記著作権管理規格ごとに個別に表示部に表示するコンテンツ個別一覧表示処理装置と
を備えたことを特徴とするコンテンツ処理装置。
【請求項３】
コンテンツを記憶するコンテンツ記憶装置と、
このコンテンツ記憶装置によって記憶されているコンテンツの著作権管理規格を記憶する著作権管理規格記憶装置と、
この著作権管理規格記憶装置によって記憶されている前記著作権管理規格に基づいて、前記著作権管理規格の一覧を、この一覧の中の任意の著作権管理規格をユーザが選択可能な状態として表示部に表示する著作権管理規格一覧表示処理装置と、
この著作権管理規格一覧表示処理装置によって表示された前記著作権管理規格の一覧の中から、ユーザが任意の著作権管理規格を選択した場合に、このユーザが選択した著作権管理規格の下で管理されているコンテンツに対する可能な処理を示す項目の一覧を、当該ユーザが選択した著作権管理規格の下で管理されているコンテンツの一覧とともに前記表示部に表示する可能処理項目表示処理装置と
を備えたことを特徴とするコンテンツ処理装置。
【請求項４】
前記可能処理項目表示処理装置が、前記ユーザが選択した著作権管理規格の下で管理されているコンテンツの一覧を、この一覧の中の任意のコンテンツをユーザが選択可能な状態として表示するように形成されているとともに、前記ユーザが選択した著作権管理規格の下で管理されているコンテンツに対する可能な処理を示す項目の一覧を、この一覧の中の任意の項目をユーザが選択可能な状態として表示するように形成されており、
前記ユーザが選択した著作権管理規格の下で管理されているコンテンツの一覧の中からユーザが任意のコンテンツを選択し、かつ、前記ユーザが選択した著作権管理規格の下で管理されているコンテンツに対する可能な処理を示す項目の一覧の中からユーザが任意の項目を選択した場合に、ユーザが選択した前記任意のコンテンツに対してユーザが選択した前記任意の項目に示された処理を実行するコンテンツ処理実行装置を備えたこと
を特徴とする請求項３に記載のコンテンツ処理装置。
【請求項５】
前記可能処理項目表示処理装置が、
前記ユーザが選択した著作権管理規格の下で管理されているコンテンツに対する可能な処理を示す項目の一覧を、当該著作権管理規格の下で管理されているコンテンツごとに個別に表示可能に形成されていること
を特徴とする請求項３または請求項４に記載のコンテンツ処理装置。
【請求項６】
前記著作権管理規格一覧表示処理装置が、前記コンテンツの著作権管理規格の一覧の中に、著作権管理規格の下で管理されていないことを示すコンテンツの分類項目を、ユーザが選択可能な状態として表示するように形成され、
前記可能処理項目表示処理装置が、前記コンテンツの著作権管理規格の一覧の中から、ユーザが前記著作権管理規格の下で管理されていないことを示すコンテンツの分類項目を選択した場合に、当該分類項目に属する著作権管理規格の下で管理されていないコンテンツに対する可能な処理を示す項目の一覧を、前記著作権管理規格の下で管理されていないコンテンツの一覧とともに前記表示部に表示するように形成されていること
を特徴とする請求項３に記載のコンテンツ処理装置。
【請求項７】
前記可能処理項目表示処理装置が、前記著作権管理規格の下で管理されていないコンテンツの一覧を、この一覧の中の任意のコンテンツをユーザが選択可能な状態として表示するように形成されているとともに、前記著作権管理規格の下で管理されていないコンテンツに対する可能な処理を示す項目の一覧を、この一覧の中の任意の項目をユーザが選択可能な状態として表示するように形成されており、
前記著作権管理規格の下で管理されていないコンテンツの一覧の中からユーザが任意のコンテンツを選択し、かつ、前記著作権管理規格の下で管理されていないコンテンツに対する可能な処理を示す項目の一覧の中からユーザが任意の項目を選択した場合に、ユーザが選択した前記任意のコンテンツに対してユーザが選択した前記任意の項目に示された処理を実行するコンテンツ処理実行装置を備えたこと
を特徴とする請求項６に記載のコンテンツ処理装置。
【請求項８】
前記コンテンツが、音声および映像の少なくとも一方を含むコンテンツとされていることを特徴とする請求項１乃至請求項７のいずれか１項に記載のコンテンツ処理装置。
【請求項９】
前記コンテンツが音楽コンテンツとされ、前記付加情報が、楽曲のタイトル、楽曲の種別およびアーティスト名の少なくとも１つを含むことを特徴とする請求項８に記載のコンテンツ処理装置。
【請求項１０】
車載機に搭載されることを特徴とする請求項８または請求項９に記載のコンテンツ処理装置。
【請求項１１】
コンテンツの付加情報を用いて前記コンテンツの一覧を表示部に表示する際に、前記コンテンツの著作権管理規格を、前記コンテンツの一覧における各コンテンツにそれぞれ対応させた状態として前記コンテンツの一覧とともに前記表示部に表示すること
を特徴とするコンテンツ処理方法。
【請求項１２】
コンテンツの一覧を、前記コンテンツの付加情報および前記コンテンツの著作権管理規格を用いて前記コンテンツの著作権管理規格ごとに個別に表示部に表示すること
を特徴とするコンテンツ処理方法。
【請求項１３】
コンテンツの著作権管理規格の一覧を、この一覧の中の任意の著作権管理規格をユーザが選択可能な状態として表示部に表示し、
前記表示部に表示された前記コンテンツの著作権管理規格の一覧の中から、ユーザが任意の著作権管理規格を選択した場合に、このユーザが選択した著作権管理規格の下で管理されているコンテンツに対する可能な処理を示す項目の一覧を、当該ユーザが選択した著作権管理規格の下で管理されているコンテンツの一覧とともに前記表示部に表示すること
を特徴とするコンテンツ処理方法。
【請求項１４】
前記ユーザが選択した著作権管理規格の下で管理されているコンテンツの一覧を、この一覧の中の任意のコンテンツをユーザが選択可能な状態として表示するとともに、前記ユーザが選択した著作権管理規格の下で管理されているコンテンツに対する可能な処理を示す項目の一覧を、この一覧の中の任意の項目をユーザが選択可能な状態として表示し、
前記ユーザが選択した著作権管理規格の下で管理されているコンテンツの一覧の中からユーザが任意のコンテンツを選択し、かつ、前記ユーザが選択した著作権管理規格の下で管理されているコンテンツに対する可能な処理を示す項目の一覧の中からユーザが任意の項目を選択した場合に、ユーザが選択した前記任意のコンテンツに対してユーザが選択した前記任意の項目に示された処理を実行すること
を特徴とする請求項１３に記載のコンテンツ処理方法。
【請求項１５】
前記ユーザが選択した著作権管理規格の下で管理されているコンテンツに対する可能な処理を示す項目の一覧を、当該著作権管理規格の下で管理されているコンテンツごとに個別に表示すること
を特徴とする請求項１３または請求項１４に記載のコンテンツ処理方法。
【請求項１６】
前記コンテンツの著作権管理規格の一覧の中に、著作権管理規格の下で管理されていないことを示すコンテンツの分類項目を、ユーザが選択可能な状態として表示し、
前記コンテンツの著作権管理規格の一覧の中から、ユーザが前記著作権管理規格の下で管理されていないことを示すコンテンツの分類項目を選択した場合に、当該分類項目に属する著作権管理規格の下で管理されていないコンテンツに対する可能な処理を示す項目の一覧を、前記著作権管理規格の下で管理されていないコンテンツの一覧とともに前記表示部に表示すること
を特徴とする請求項１３に記載のコンテンツ処理方法。
【請求項１７】
前記著作権管理規格の下で管理されていないコンテンツの一覧を、この一覧の中の任意のコンテンツをユーザが選択可能な状態として表示するとともに、前記著作権管理規格の下で管理されていないコンテンツに対する可能な処理を示す項目の一覧を、この一覧の中の任意の項目をユーザが選択可能な状態として表示し、
前記著作権管理規格の下で管理されていないコンテンツの一覧の中からユーザが任意のコンテンツを選択し、かつ、前記著作権管理規格の下で管理されていないコンテンツに対する可能な処理を示す項目の一覧の中からユーザが任意の項目を選択した場合に、ユーザが選択した前記任意のコンテンツに対してユーザが選択した前記任意の項目に示された処理を実行すること
を特徴とする請求項１６に記載のコンテンツ処理方法。
【請求項１８】
前記コンテンツを、音声および映像の少なくとも一方を含むコンテンツとすることを特徴とする請求項１１乃至請求項１７のいずれか１項に記載のコンテンツ処理方法。
【請求項１９】
前記コンテンツを音楽コンテンツとし、前記付加情報を、楽曲のタイトル、楽曲の種別およびアーティスト名の少なくとも１つを含むものとすることを特徴とする請求項１８に記載のコンテンツ処理方法。
【請求項２０】
車載機において使用することを特徴とする請求項１８または請求項１９に記載のコンテンツ処理方法。
【発明の詳細な説明】
【技術分野】
【０００１】
本発明は、コンテンツ処理装置およびコンテンツ処理方法に係り、特に、種々の著作権管理規格の下で管理されているコンテンツを取り扱うのに好適なコンテンツ処理装置およびコンテンツ処理方法に関する。
【背景技術】
【０００２】
従来から、車載機等においては、音楽コンテンツ等のコンテンツに対して、コンテンツを管理している著作権管理規格に対応した専用のアプリケーションソフトウェアを用いることによって、コピーや移動などの各種の処理を実行するようになっていた。
【０００３】
なお、著作権管理規格としては、例えば、Windows（登録商標）DRM、iTunes（商標）、ATRAC AD（商標）、iVDR（商標）等が知られていた。
【０００４】
【特許文献１】特開２００１−２９１３６５号公報
【発明の開示】
【発明が解決しようとする課題】
【０００５】
しかしながら、ユーザが入手するコンテンツは、常に同じ著作権管理規格の下で管理されているとは限らず、入手された複数のコンテンツの間で、互いに著作権管理規格が異なる場合があった。
【０００６】
このような場合には、著作権管理規格ごとに接続できる相手側機器が異なり、または、コンテンツの移動やコピーの制限が異なることがある。
【０００７】
したがって、ユーザは、コンテンツに対する処理を行う際に、コンテンツごとに著作権管理規格が何であるかを調べ、その著作権管理規格ではどのような処理が許可されているのかを理解する必要があった。
【０００８】
すなわち、従来は、コンテンツに対する処理を行う際にユーザに課される負担が大きくなってしまうといった問題が生じていた。
【０００９】
そこで、本発明は、このような問題点に鑑みなされたものであり、ユーザが、コンテンツに対して著作権管理規格に応じた可能な処理を簡便に行うことができ、利便性を向上させることができるコンテンツ処理装置およびコンテンツ処理方法を提供することを目的とするものである。
【課題を解決するための手段】
【００１０】
前述した目的を達成するため、本発明に係るコンテンツ処理装置は、コンテンツを記憶するコンテンツ記憶装置と、このコンテンツ記憶装置によって記憶されているコンテンツの著作権管理規格を記憶する著作権管理規格記憶装置と、前記コンテンツ記憶装置によって記憶されているコンテンツの付加情報を記憶する付加情報記憶装置と、この付加情報記憶装置によって記憶されている前記付加情報を用いて、前記コンテンツ記憶装置によって記憶されているコンテンツの一覧を表示部に表示するコンテンツ一覧表示処理装置と、前記著作権管理規格記憶装置によって記憶されている前記著作権管理規格を、前記一覧における各コンテンツにそれぞれ対応させた状態として前記一覧とともに前記表示部に表示する著作権管理規格表示処理装置とを備えたことを特徴としている。そして、このような構成を採用したことにより、著作権管理規格表示処理装置によって、コンテンツの著作権管理規格を、コンテンツの一覧における各コンテンツにそれぞれ対応させた状態としてコンテンツの一覧とともに表示することが可能となる。
【００１１】
また、本発明に係るコンテンツ処理装置は、コンテンツを記憶するコンテンツ記憶装置と、このコンテンツ記憶装置によって記憶されているコンテンツの著作権管理規格を記憶する著作権管理規格記憶装置と、前記コンテンツ記憶装置によって記憶されているコンテンツの付加情報を記憶する付加情報記憶装置と、この付加情報記憶装置によって記憶されている前記付加情報および前記著作権管理規格記憶装置によって記憶されている前記著作権管理規格を用いて、前記コンテンツ記憶装置によって記憶されている前記コンテンツの一覧を、前記著作権管理規格ごとに個別に表示部に表示するコンテンツ個別一覧表示処理装置とを備えたことを特徴としている。そして、このような構成を採用したことにより、コンテンツ個別一覧表示処理装置によって、コンテンツの一覧を、著作権管理規格ごとに個別に表示することが可能となる。
【００１２】
さらに、本発明に係るコンテンツ処理装置は、コンテンツを記憶するコンテンツ記憶装置と、このコンテンツ記憶装置によって記憶されているコンテンツの著作権管理規格を記憶する著作権管理規格記憶装置と、この著作権管理規格記憶装置によって記憶されている前記著作権管理規格に基づいて、前記著作権管理規格の一覧を、この一覧の中の任意の著作権管理規格をユーザが選択可能な状態として表示部に表示する著作権管理規格一覧表示処理装置と、この著作権管理規格一覧表示処理装置によって表示された前記著作権管理規格の一覧の中から、ユーザが任意の著作権管理規格を選択した場合に、このユーザが選択した著作権管理規格の下で管理されているコンテンツに対する可能な処理を示す項目の一覧を、当該ユーザが選択した著作権管理規格の下で管理されているコンテンツの一覧とともに前記表示部に表示する可能処理項目表示処理装置とを備えたことを特徴としている。そして、このような構成を採用したことにより、著作権管理規格一覧表示処理装置によって表示された著作権管理規格の一覧の中からユーザが任意の著作権管理規格を選択すると、可能処理項目表示処理装置によって、ユーザが選択した著作権管理規格の下で管理されているコンテンツに対する可能な処理を示す項目の一覧を、ユーザが選択した著作権管理規格の下で管理されているコンテンツの一覧とともに表示することが可能となる。
【００１３】
さらにまた、本発明に係るコンテンツ処理装置は、前記可能処理項目表示処理装置が、前記ユーザが選択した著作権管理規格の下で管理されているコンテンツの一覧を、この一覧の中の任意のコンテンツをユーザが選択可能な状態として表示するように形成されているとともに、前記ユーザが選択した著作権管理規格の下で管理されているコンテンツに対する可能な処理を示す項目の一覧を、この一覧の中の任意の項目をユーザが選択可能な状態として表示するように形成されており、前記ユーザが選択した著作権管理規格の下で管理されているコンテンツの一覧の中からユーザが任意のコンテンツを選択し、かつ、前記ユーザが選択した著作権管理規格の下で管理されているコンテンツに対する可能な処理を示す項目の一覧の中からユーザが任意の項目を選択した場合に、ユーザが選択した前記任意のコンテンツに対してユーザが選択した前記任意の項目に示された処理を実行するコンテンツ処理実行装置を備えたことを特徴としている。そして、このような構成を採用したことにより、ユーザが選択した著作権管理規格の下で管理されているコンテンツの一覧の中から、ユーザが任意のコンテンツを選択し、かつ、ユーザが選択した著作権管理規格の下で管理されているコンテンツに対する可能な処理を示す項目の一覧の中から、ユーザが任意の項目を選択すると、コンテンツ処理実行装置によって、ユーザが選択した任意のコンテンツに対してユーザが選択した項目に示された処理を実行することが可能となる。
【００１４】
また、本発明に係るコンテンツ処理装置は、前記可能処理項目表示処理装置が、前記ユーザが選択した著作権管理規格の下で管理されているコンテンツに対する可能な処理を示す項目の一覧を、当該著作権管理規格の下で管理されているコンテンツごとに個別に表示可能に形成されていることを特徴としている。そして、このような構成を採用したことにより、可能処理項目表示処理装置によって、ユーザが選択した著作権管理規格の下で管理されているコンテンツに対する可能な処理を示す項目の一覧を、当該著作権管理規格の下で管理されているコンテンツごとに個別に表示することが可能となる。
【００１５】
さらに、本発明に係るコンテンツ処理装置は、前記著作権管理規格一覧表示処理装置が、前記コンテンツの著作権管理規格の一覧の中に、著作権管理規格の下で管理されていないことを示すコンテンツの分類項目を、ユーザが選択可能な状態として表示するように形成され、前記可能処理項目表示処理装置が、前記コンテンツの著作権管理規格の一覧の中から、ユーザが前記著作権管理規格の下で管理されていないことを示すコンテンツの分類項目を選択した場合に、当該分類項目に属する著作権管理規格の下で管理されていないコンテンツに対する可能な処理を示す項目の一覧を、前記著作権管理規格の下で管理されていないコンテンツの一覧とともに前記表示部に表示するように形成されていることを特徴としている。そして、このような構成を採用したことにより、著作権管理規格一覧表示処理装置によって表示された著作権管理規格の一覧の中からユーザが著作権管理規格の下で管理されていないことを示すコンテンツの分類項目を選択すると、可能処理項目表示処理装置によって、当該分類項目に属する著作権管理規格の下で管理されていないコンテンツに対する可能な処理を示す項目の一覧を、著作権管理規格の下で管理されていないコンテンツの一覧とともに表示することが可能となる。
【００１６】
さらにまた、本発明に係るコンテンツ処理装置は、前記可能処理項目表示処理装置が、前記著作権管理規格の下で管理されていないコンテンツの一覧を、この一覧の中の任意のコンテンツをユーザが選択可能な状態として表示するように形成されているとともに、前記著作権管理規格の下で管理されていないコンテンツに対する可能な処理を示す項目の一覧を、この一覧の中の任意の項目をユーザが選択可能な状態として表示するように形成されており、前記著作権管理規格の下で管理されていないコンテンツの一覧の中からユーザが任意のコンテンツを選択し、かつ、前記著作権管理規格の下で管理されていないコンテンツに対する可能な処理を示す項目の一覧の中からユーザが任意の項目を選択した場合に、ユーザが選択した前記任意のコンテンツに対してユーザが選択した前記任意の項目に示された処理を実行するコンテンツ処理実行装置を備えたことを特徴としている。そして、このような構成を採用したことにより、著作権管理規格の下で管理されていないコンテンツの一覧の中から、ユーザが任意のコンテンツを選択し、かつ、著作権管理規格の下で管理されていないコンテンツに対する可能な処理を示す項目の一覧の中から、ユーザが任意の項目を選択すると、コンテンツ処理実行装置によって、ユーザが選択した任意のコンテンツに対してユーザが選択した項目に示された処理を実行することが可能となる。
【００１７】
また、本発明に係るコンテンツ処理装置は、前記コンテンツが、音声および映像の少なくとも一方を含むコンテンツとされていることを特徴としている。そして、このような構成を採用したことにより、著作権管理規格表示処理装置によって、音声および／または映像コンテンツの著作権管理規格を、音声および／または映像コンテンツの一覧における各コンテンツにそれぞれ対応させた状態として表示することが可能となる。
【００１８】
さらに、本発明に係るコンテンツ処理装置は、前記コンテンツが音楽コンテンツとされ、前記付加情報が、楽曲のタイトル、楽曲の種別およびアーティスト名の少なくとも１つを含むことを特徴としている。そして、このような構成を採用したことにより、著作権管理規格表示処理装置によって、楽曲のタイトル、楽曲の種別およびアーティスト名の少なくとも１つを含む音楽コンテンツの一覧とともに、音楽コンテンツの著作権管理規格を、音楽コンテンツの一覧における各音楽コンテンツにそれぞれ対応させた状態として表示することが可能となる。
【００１９】
さらにまた、本発明に係るコンテンツ処理装置は、車載機に搭載されることを特徴としている。そして、このような構成を採用したことにより、車載機に搭載された著作権管理規格表示処理装置によって、コンテンツの一覧とともに、コンテンツの著作権管理規格を、コンテンツの一覧における各コンテンツにそれぞれ対応させた状態として表示することが可能となる。
【００２０】
また、本発明に係るコンテンツ処理方法は、コンテンツの付加情報を用いて前記コンテンツの一覧を表示部に表示する際に、前記コンテンツの著作権管理規格を、前記コンテンツの一覧における各コンテンツにそれぞれ対応させた状態として前記コンテンツの一覧とともに前記表示部に表示することを特徴としている。そして、このような方法を採用したことにより、コンテンツの一覧とともに、コンテンツの著作権管理規格を、コンテンツの一覧における各コンテンツにそれぞれ対応させた状態として表示することが可能となる。
【００２１】
さらに、本発明に係るコンテンツ処理方法は、コンテンツの一覧を、前記コンテンツの付加情報および前記コンテンツの著作権管理規格を用いて前記コンテンツの著作権管理規格ごとに個別に表示部に表示することを特徴としている。そして、このような方法を採用したことにより、コンテンツの一覧を著作権管理規格ごとに個別に表示することが可能となる。
【００２２】
さらにまた、本発明に係るコンテンツ処理方法は、コンテンツの著作権管理規格の一覧を、この一覧の中の任意の著作権管理規格をユーザが選択可能な状態として表示部に表示し、前記表示部に表示された前記コンテンツの著作権管理規格の一覧の中から、ユーザが任意の著作権管理規格を選択した場合に、このユーザが選択した著作権管理規格の下で管理されているコンテンツに対する可能な処理を示す項目の一覧を、当該ユーザが選択した著作権管理規格の下で管理されているコンテンツの一覧とともに前記表示部に表示することを特徴としている。そして、このような方法を採用したことにより、著作権管理規格の一覧の中からユーザが任意の著作権管理規格を選択すると、選択された著作権管理規格の下で管理されているコンテンツに対する可能な処理を示す項目の一覧が、選択された著作権管理規格の下で管理されているコンテンツの一覧とともに表示されるようにすることが可能となる。
【００２３】
また、本発明に係るコンテンツ処理方法は、前記ユーザが選択した著作権管理規格の下で管理されているコンテンツの一覧を、この一覧の中の任意のコンテンツをユーザが選択可能な状態として表示するとともに、前記ユーザが選択した著作権管理規格の下で管理されているコンテンツに対する可能な処理を示す項目の一覧を、この一覧の中の任意の項目をユーザが選択可能な状態として表示し、前記ユーザが選択した著作権管理規格の下で管理されているコンテンツの一覧の中からユーザが任意のコンテンツを選択し、かつ、前記ユーザが選択した著作権管理規格の下で管理されているコンテンツに対する可能な処理を示す項目の一覧の中からユーザが任意の項目を選択した場合に、ユーザが選択した前記任意のコンテンツに対してユーザが選択した前記任意の項目に示された処理を実行することを特徴としている。そして、このような方法を採用したことにより、ユーザが選択した著作権管理規格の下で管理されているコンテンツの一覧の中から、ユーザが任意のコンテンツを選択し、かつ、ユーザが選択した著作権管理規格の下で管理されているコンテンツに対する可能な処理を示す項目の一覧の中から、ユーザが任意の項目を選択すると、選択された任意のコンテンツに対して選択された項目に示された処理が実行されるようにすることが可能となる。
【００２４】
さらに、本発明に係るコンテンツ処理方法は、前記ユーザが選択した著作権管理規格の下で管理されているコンテンツに対する可能な処理を示す項目の一覧を、当該著作権管理規格の下で管理されているコンテンツごとに個別に表示することを特徴としている。そして、このような方法を採用したことにより、ユーザが選択した著作権管理規格の下で管理されているコンテンツに対する可能な処理を示す項目の一覧を、当該著作権管理規格の下で管理されているコンテンツごとに個別に表示することが可能となる。
【００２５】
さらにまた、本発明に係るコンテンツ処理方法は、前記コンテンツの著作権管理規格の一覧の中に、著作権管理規格の下で管理されていないことを示すコンテンツの分類項目を、ユーザが選択可能な状態として表示し、前記コンテンツの著作権管理規格の一覧の中から、ユーザが前記著作権管理規格の下で管理されていないことを示すコンテンツの分類項目を選択した場合に、当該分類項目に属する著作権管理規格の下で管理されていないコンテンツに対する可能な処理を示す項目の一覧を、前記著作権管理規格の下で管理されていないコンテンツの一覧とともに前記表示部に表示することを特徴としている。そして、このような方法を採用したことにより、著作権管理規格の一覧の中からユーザが著作権管理規格の下で管理されていないことを示すコンテンツの分類項目を選択すると、当該分類項目に属する著作権管理規格の下で管理されていないコンテンツに対する可能な処理を示す項目の一覧が、著作権管理規格の下で管理されていないコンテンツの一覧とともに表示されるようにすることが可能となる。
【００２６】
また、本発明に係るコンテンツ処理方法は、前記著作権管理規格の下で管理されていないコンテンツの一覧を、この一覧の中の任意のコンテンツをユーザが選択可能な状態として表示するとともに、前記著作権管理規格の下で管理されていないコンテンツに対する可能な処理を示す項目の一覧を、この一覧の中の任意の項目をユーザが選択可能な状態として表示し、前記著作権管理規格の下で管理されていないコンテンツの一覧の中からユーザが任意のコンテンツを選択し、かつ、前記著作権管理規格の下で管理されていないコンテンツに対する可能な処理を示す項目の一覧の中からユーザが任意の項目を選択した場合に、ユーザが選択した前記任意のコンテンツに対してユーザが選択した前記任意の項目に示された処理を実行することを特徴としている。そして、このような方法を採用したことにより、著作権管理規格の下で管理されていないコンテンツの一覧の中から、ユーザが任意のコンテンツを選択し、かつ、著作権管理規格の下で管理されていないコンテンツに対する可能な処理を示す項目の一覧の中から、ユーザが任意の項目を選択すると、選択された任意のコンテンツに対して選択された項目に示された処理が実行されるようにすることが可能となる。
【００２７】
さらに、本発明に係るコンテンツ処理方法は、前記コンテンツを、音声および映像の少なくとも一方を含むコンテンツとすることを特徴としている。そして、このような方法を採用したことにより、音声および／または映像コンテンツの一覧とともに、音声および／または映像コンテンツの著作権管理規格を、音声および／または映像コンテンツの一覧における各コンテンツにそれぞれ対応させた状態として表示することが可能となる。
【００２８】
さらにまた、本発明に係るコンテンツ処理方法は、前記コンテンツを音楽コンテンツとし、前記付加情報を、楽曲のタイトル、楽曲の種別およびアーティスト名の少なくとも１つを含むものとすることを特徴としている。そして、このような方法を採用したことにより、楽曲のタイトル、楽曲の種別およびアーティスト名の少なくとも１つを含む音楽コンテンツの一覧とともに、音楽コンテンツの著作権管理規格を、音楽コンテンツの一覧における各音楽コンテンツにそれぞれ対応させた状態として表示することが可能となる。
【００２９】
また、本発明に係るコンテンツ処理方法は、車載機において使用することを特徴としている。そして、このような方法を採用したことにより、車載機において、コンテンツの一覧とともに、コンテンツの著作権管理規格を、コンテンツの一覧における各コンテンツにそれぞれ対応させた状態として表示することが可能となる。
【発明の効果】
【００３０】
本発明によれば、コンテンツの一覧とともに、コンテンツの著作権管理規格を、コンテンツの一覧における各コンテンツにそれぞれ対応させた状態として表示することができるため、ユーザが、コンテンツに対応する著作権管理規格を容易に把握することができ、この結果、ユーザが、コンテンツに対して著作権管理規格に応じた可能な処理を簡便に行うことができ、利便性を向上させることができる。
【００３１】
また、本発明によれば、コンテンツの一覧を著作権管理規格ごとに個別に表示することができる結果、ユーザが、一覧に表示された各コンテンツに対して、著作権管理規格に応じた可能な処理を簡便に行うことができ、利便性を向上させることができる。
【００３２】
さらに、本発明によれば、著作権管理規格の一覧の中からユーザが任意の著作権管理規格を選択すると、選択された著作権管理規格の下で管理されているコンテンツに対する可能な処理を示す項目の一覧が、選択された著作権管理規格の下で管理されているコンテンツの一覧とともに表示されるため、ユーザが、コンテンツの著作権管理規格およびコンテンツに対する可能な処理を容易に把握することができ、この結果、ユーザが、コンテンツに対して著作権管理規格に応じた可能な処理をさらに簡便かつ確実に行うことができる。
【００３３】
さらにまた、本発明によれば、ユーザが選択した著作権管理規格の下で管理されているコンテンツの一覧の中から、ユーザが任意のコンテンツを選択し、かつ、ユーザが選択した著作権管理規格の下で管理されているコンテンツに対する可能な処理を示す項目の一覧の中から、ユーザが任意の項目を選択すると、選択された任意のコンテンツに対して選択された項目に示された処理が実行される結果、ユーザが、コンテンツに対して著作権管理規格に応じた可能な処理をさらに簡便に行うことができ、利便性をさらに向上させることができる。
【００３４】
また、本発明によれば、ユーザが選択した著作権管理規格の下で管理されているコンテンツに対する可能な処理を示す項目の一覧を、当該著作権管理規格の下で管理されているコンテンツごとに個別に表示することができるので、同一の著作権管理規格の下で管理されているコンテンツ同士の間で、可能な処理が異なる場合であっても、それぞれのコンテンツに対する可能な処理を簡便かつ確実に行うことができる。
【００３５】
さらに、本発明によれば、著作権管理規格の一覧の中からユーザが著作権管理規格の下で管理されていないことを示すコンテンツの分類項目を選択すると、この分類項目に属する著作権管理規格の下で管理されていないコンテンツに対する可能な処理を示す項目の一覧が、著作権管理規格の下で管理されていないコンテンツの一覧とともに表示されるため、ユーザが、著作権管理規格の下で管理されていないコンテンツに対応する可能な処理を容易に把握することができ、この結果、ユーザが、コンテンツに対して著作権管理規格の下で管理されていないことに応じた可能な処理を簡便かつ確実に行うことができる。
【００３６】
さらにまた、本発明によれば、著作権管理規格の下で管理されていないコンテンツの一覧の中から、ユーザが任意のコンテンツを選択し、かつ、著作権管理規格の下で管理されていないコンテンツに対する可能な処理を示す項目の一覧の中から、ユーザが任意の項目を選択すると、選択された任意のコンテンツに対して選択された項目に示された処理が実行される結果、ユーザが、コンテンツに対して著作権管理規格の下で管理されていないことに応じた可能な処理をさらに簡便に行うことができ、利便性をさらに向上させることができる。
【００３７】
また、本発明は、音楽コンテンツのような音声を含むコンテンツ、映像を含むコンテンツ、または、音声および映像の双方を含むコンテンツに有効に適用することができる。
【００３８】
さらに、本発明を音楽コンテンツに適用し、楽曲のタイトル、楽曲の種別およびアーティスト名の少なくとも１つを含む音楽コンテンツの一覧とともに、音楽コンテンツの著作権管理規格を表示することで、ユーザが、好みの音楽コンテンツに対して所望の処理を簡便に行うことができる。
【００３９】
さらにまた、本発明は、車載機に有効に適用することができる。
【発明を実施するための最良の形態】
【００４０】
以下、本発明に係るコンテンツ処理装置の実施形態について、図１乃至図５を参照して説明する。
【００４１】
図１に示すように、本実施形態におけるコンテンツ処理装置１は、大別して、処理装置本体２と、この処理装置本体２にそれぞれ接続された記憶装置３、入力操作部５、表示部６および音声出力部７とを有している。
【００４２】
記憶装置３は、例えば、ハードディスクドライブであってもよいし、ＤＶＤまたはＣＤが搭載されたＤＶＤ／ＣＤドライブであってもよい。
【００４３】
また、入力操作部５は、リモコン、タッチパネルまたはリニアエンコーダ等であってもよい。
【００４４】
記憶装置３は、コンテンツ記憶装置として機能するようになっており、この記憶装置３内には、音声を含むコンテンツとしての音楽コンテンツが記憶されている。
【００４５】
また、記憶装置３は、著作権管理規格記憶装置として機能するようになっており、この記憶装置３内には、前記音楽コンテンツとともに前記音楽コンテンツの著作権管理規格が記憶されている。
【００４６】
さらに、記憶装置３は、付加情報記憶装置として機能するようになっており、この記憶装置３内には、音楽コンテンツの付加情報として、楽曲のタイトル、種別（ジャンル）およびアーティスト名を含む付加情報が記憶されている。
【００４７】
処理装置本体２は、コンテンツ一覧・著作権管理規格描画部８を有しており、このコンテンツ一覧・著作権管理規格描画部８には、記憶装置３および入力操作部５がそれぞれ接続されている。
【００４８】
コンテンツ一覧・著作権管理規格描画部８は、コンテンツ一覧表示処理装置および著作権管理規格表示処理装置として機能するようになっている。
【００４９】
すなわち、コンテンツ一覧・著作権管理規格描画部８は、記憶装置３から、記憶装置３内に記憶されている音楽コンテンツの付加情報と、記憶装置３内に記憶されている音楽コンテンツの著作権管理規格の情報とを読み出すようになっている。
【００５０】
そして、コンテンツ一覧・著作権管理規格描画部８は、記憶装置３から読み出した前記付加情報および前記著作権管理規格の情報を用いて、コンテンツ一覧・著作権管理規格描画データを生成するようになっている。
【００５１】
このコンテンツ一覧・著作権管理規格描画データは、記憶装置３内に記憶されている音楽コンテンツの一覧を表示することを内容の１つとしている。
【００５２】
さらに、コンテンツ一覧・著作権管理規格描画データは、前記音楽コンテンツの一覧における各音楽コンテンツの著作権管理規格を、各音楽コンテンツにそれぞれ対応させた状態として前記音楽コンテンツの一覧とともに表示することを内容の１つとしている。
【００５３】
コンテンツ一覧・著作権管理規格描画部８は、生成されたコンテンツ一覧・著作権管理規格描画データを表示部６側に出力するようになっている。
【００５４】
コンテンツ一覧・著作権管理規格描画部８の出力側であって、表示部６の入力側には、表示処理部９が接続されており、この表示処理部９は、コンテンツ一覧・著作権管理規格描画部８とともに、コンテンツ一覧表示処理装置および著作権管理規格表示処理装置として機能するようになっている。
【００５５】
すなわち、表示処理部９には、コンテンツ一覧・著作権管理規格描画部８から出力されたコンテンツ一覧・著作権管理規格描画データが入力されるようになっている。
【００５６】
そして、表示処理部９は、入力されたコンテンツ一覧・著作権管理規格描画データを画像に変換して表示部６に表示するようになっている。
【００５７】
これにより、表示部６には、図２に示すように、楽曲のタイトル（図２におけるTitle）、ジャンル（図２におけるGenre）およびアーティスト名（図２におけるArtist）からなる複数曲分の音楽コンテンツの一覧とともに、この一覧における各音楽コンテンツの著作権管理規格（図２におけるRights Manager）が、各音楽コンテンツにそれぞれ対応された状態として音楽コンテンツの一覧と同一の画面１０上に表示される。
【００５８】
この画面１０は、音楽コンテンツのすべての一覧情報を表示する画面（以下、全表示画面１０と称する）となっている。
【００５９】
なお、図２に示すように、音楽コンテンツの曲数が多い場合には、全表示画面１０上にスクロールバー１７を表示するようにし、ユーザが、このスクロールバー１７を用いて一覧をスクロールすることによって全ての音楽コンテンツを見ることができるようにしてもよい。
【００６０】
この全表示画面１０は、コンテンツ処理装置１の起動後にデフォルトとして表示するようにしてもよいし、または、全表示画面１０を選択するためのタグ１０ａ（図２参照）がユーザによる入力操作部５の操作によって選択された場合に、別の画面（例えば、後述する著作権管理規格個別表示画面１２）から切り替えて表示するようにしてもよい。
【００６１】
上記構成に加えて、さらに、処理装置本体２は、著作権管理規格一覧描画部１１を有しており、この著作権管理規格一覧描画部１１には、記憶装置３、入力操作部５および表示処理部９がそれぞれ接続されている。
【００６２】
著作権管理規格一覧描画部１１は、著作権管理規格一覧表示処理装置として機能するようになっている。
【００６３】
すなわち、著作権管理規格一覧描画部１１は、記憶装置３から、記憶装置３内に記憶されている音楽コンテンツの著作権管理規格の情報を読み出し、この読み出した情報を用いて著作権管理規格一覧描画データを生成するようになっている。
【００６４】
この著作権管理規格一覧描画データは、記憶装置３内に記憶されている音楽コンテンツの著作権管理規格の一覧を、この一覧の中の任意の著作権管理規格をユーザが選択可能な状態として表示することを内容の１つとしている。
【００６５】
さらに、著作権管理規格一覧描画データは、前記音楽コンテンツの著作権管理規格の一覧の中に、著作権管理規格の下で管理されていないことを示すコンテンツの分類項目を、ユーザが選択可能な状態として表示することを内容の１つとしている。
【００６６】
著作権管理規格一覧描画部１１は、生成された著作権管理規格一覧描画データを表示処理部９に出力するようになっている。
【００６７】
表示処理部９は、著作権管理規格一覧描画部１１とともに著作権管理規格一覧表示処理装置として機能し、著作権管理規格一覧描画部１１から出力された著作権管理規格一覧描画データを画像に変換して表示部６に表示するようになっている。
【００６８】
これにより、表示部６には、図３に示すように、著作権管理規格の一覧が、この一覧の中から任意の著作権管理規格をユーザが選択可能な操作画面（以下、著作権管理規格個別表示画面１２と称する）として表示されるようになっている。また、この著作権管理規格の一覧の中には、著作権管理規格の下で管理されていないことを示す音楽コンテンツの分類項目が、この分類項目をユーザが選択可能な状態として表示されるようになっている。
【００６９】
具体的には、著作権管理規格個別表示画面１２は、互いに異なる複数の著作権管理規格（図３におけるRights Manager1〜4、Ripped Contents）をそれぞれ選択するための複数の操作ボタン１４を有している。なお、図３におけるRipped Contentsは、ユーザが一度リッピングして再びコピーができないコンテンツを管理する著作権管理規格とされている。
【００７０】
そして、ユーザは、入力操作部５の操作によって所望の操作ボタン１４を操作することによって所望の著作権管理規格を選択することができるようになっている。
【００７１】
さらに、著作権管理規格個別表示画面１２は、著作権管理規格の下で管理されていないことを示す音楽コンテンツの分類項目（図３におけるNon-Secure Contents）を選択するための操作ボタン１５を有している。そして、ユーザは、入力操作部５の操作によって当該操作ボタン１５を操作することによって、著作権管理規格の下で管理されていないことを示す音楽コンテンツの分類項目を選択することができるようになっている。
【００７２】
著作権管理規格個別表示画面１２は、例えば、全表示画面１０等の別の画面が表示されている状態から、図３に示す著作権管理規格個別表示画面１２を選択するためのタグ１２ａが入力操作部５の操作によって選択された場合に、別の画面から切換えて表示されるようにしてもよい。
【００７３】
上記構成に加えて、さらに、処理装置本体２は、個別一覧・可能処理項目描画部１８を有しており、この個別一覧・可能処理項目描画部１８には、記憶装置３、入力操作部５および表示処理部９がそれぞれ接続されている。
【００７４】
個別一覧・可能処理項目描画部１８は、コンテンツ個別一覧表示処理装置および可能処理項目表示処理装置として機能するようになっている。
【００７５】
すなわち、個別一覧・可能処理項目描画部１８は、著作権管理規格個別表示画面１２において、ユーザが操作ボタン１４の操作によって所望の著作権管理規格を選択した場合に、記憶装置３から、ユーザが選択した著作権管理規格の情報と、ユーザが選択した著作権管理規格の下で管理されている音楽コンテンツの付加情報とを読み出すようになっている。
【００７６】
そして、個別一覧・可能処理項目描画部１８は記憶装置３から読み出した前記著作権管理規格の情報および前記付加情報に基づいて、第１の個別一覧・可能処理項目描画データを生成するようになっている。
【００７７】
この第１の個別一覧・可能処理項目描画データは、ユーザが選択した著作権管理規格の下で管理されている音楽コンテンツの一覧（個別一覧）を、この一覧の中の任意の音楽コンテンツをユーザが選択可能な状態として表示することを内容の１つとしている。
【００７８】
また、第１の個別一覧・可能処理項目描画データは、ユーザが選択した著作権管理規格の下で管理されている音楽コンテンツに対する可能な処理を示す項目の一覧を、この一覧の中の任意の項目をユーザが選択可能な状態として表示することを内容の１つとしている。
【００７９】
個別一覧・可能処理項目描画部１８は、生成された第１の個別一覧・可能処理項目描画データを、表示処理部９に出力するようになっている。
【００８０】
表示処理部９は、個別一覧・可能処理項目描画部１８とともにコンテンツ個別一覧表示処理装置および可能処理項目表示処理装置として機能し、個別一覧・可能処理項目描画部１８から出力された第１の個別一覧・可能処理項目描画データを画像に変換して表示部６に表示するようになっている。
【００８１】
これにより、表示部６には、図４に示すように、ユーザが選択した著作権管理規格の下で管理されている音楽コンテンツの個別一覧と、当該音楽コンテンツに対する可能な処理を示す項目の一覧とが、各一覧の中からそれぞれ任意の音楽コンテンツおよび任意の項目をユーザが選択可能な操作画面（以下、第１の個別一覧・可能処理項目表示画面２０と称する）として表示されるようになっている。
【００８２】
具体的には、図４に示す第１の個別一覧・可能処理項目表示画面２０には、著作権管理規格の１つであるRights Manager1の下で管理されている音楽コンテンツのみの一覧が、他の著作権管理規格の下で管理されている音楽コンテンツとは別に表示（すなわち個別表示）されている。
【００８３】
図４に示す音楽コンテンツの一覧は、一覧中の個々の音楽コンテンツに対応するチェックボックス２１に入力操作部５を用いてチェックを入れることによって、個々の音楽コンテンツを選択することができるものとなっている。また、図４に示す音楽コンテンツの一覧は、一覧中の全ての音楽コンテンツを選択する操作ボタン２２を入力操作部５を用いて操作することによって、一覧中の全ての音楽コンテンツを一度に選択することができるものとなっている。なお、図４に示す音楽コンテンツの一覧は、楽曲のタイトル（図４におけるTitle）のみからなるが、それ以外の付加情報を含んだものであってもよい。
【００８４】
また、第１の個別一覧・可能処理項目表示画面２０には、Rights Manager1の下で管理されている音楽コンテンツに対する可能な処理を示す項目の１つとして、ホームＰＣとのリンクをとる処理を示す項目（図４におけるHome PC Link）が、この項目を選択可能な操作ボタン２５として表示されている。
【００８５】
さらに、第１の個別一覧・可能処理項目表示画面２０には、Rights Manager1の下で管理されている音楽コンテンツに対する可能な処理を示す項目の１つとして、コンテンツ処理装置１に接続されたポータブルオーディオデバイスに音楽コンテンツをコピーする処理を示す項目（図４におけるPlays for Sure）が、この項目を選択可能な操作ボタン２６として表示されている。
【００８６】
さらにまた、第１の個別一覧・可能処理項目表示画面２０には、Rights Manager1の下で管理されている音楽コンテンツに対する可能な処理を示す項目の１つとして、ＳＤカードに音楽コンテンツを移動する処理を示す項目（図４におけるMove to SD Card）が、この項目を選択可能な操作ボタン２７として表示されている。
【００８７】
ユーザは、入力操作部５を用いて所望の操作ボタン２５，２６，２７を操作することによって、所望の項目を選択することができるようになっている。
【００８８】
さらに、本実施形態において、個別一覧・可能処理項目描画部１８は、著作権管理規格個別表示画面１２において、ユーザが操作ボタン１５の操作によって著作権管理規格の下で管理されていないことを示す音楽コンテンツの分類項目を選択した場合に、記憶装置３から、その分類項目に属する音楽コンテンツの付加情報を読み出すようになっている。
【００８９】
そして、個別一覧・可能処理項目描画部１８は記憶装置３から読み出した情報に基づいて、第２の個別一覧・可能処理項目描画データを生成するようになっている。
【００９０】
この第２の個別一覧・可能処理項目描画データは、著作権管理規格の下で管理されていない音楽コンテンツの一覧（個別一覧）を、この一覧の中の任意の音楽コンテンツをユーザが選択可能な状態として表示することを内容の１つとしている。
【００９１】
また、第２の個別一覧・可能処理項目描画データは、著作権管理規格の下で管理されていない音楽コンテンツに対する可能な処理を示す項目の一覧を、この一覧の中の任意の項目をユーザが選択可能な状態として表示することを内容の１つとしている。
【００９２】
個別一覧・可能処理項目描画部１８は、生成された第２の個別一覧・可能処理項目描画データを、表示処理部９に出力するようになっている。
【００９３】
表示処理部９は、個別一覧・可能処理項目描画部１８から出力された第２の個別一覧・可能処理項目描画データを画像に変換して表示部６に表示するようになっている。
【００９４】
これにより、表示部６には、図５に示すように、著作権管理規格の下で管理されていない音楽コンテンツの個別一覧と、当該音楽コンテンツに対する可能な処理を示す項目の一覧とが、当該音楽コンテンツおよび当該項目をユーザが選択可能な操作画面（以下、第２の個別一覧・可能処理項目表示画面３０と称する）として表示されるようになっている。
【００９５】
具体的には、図５に示す第２の個別一覧・可能処理項目表示画面３０には、著作権管理規格の下で管理されていないことを示す分類項目（図５におけるNon-Secure Contents）に属する音楽コンテンツのみの一覧が表示されている。
【００９６】
図５に示す音楽コンテンツの一覧は、図４と同様に、一覧中の個々の音楽コンテンツに対応するチェックボックス３１に入力操作部５を用いてチェックを入れることによって、個々の音楽コンテンツを選択することができるものとなっている。また、図５に示す音楽コンテンツの一覧は、図４と同様に、一覧中の全ての音楽コンテンツを選択する操作ボタン３２を入力操作部５を用いて操作することによって、全ての音楽コンテンツを一度に選択することができるものとなっている。なお、図５に示す音楽コンテンツの一覧は、楽曲のタイトル（図５におけるTitle）のみからなるが、それ以外の付加情報を含んだものであってもよい。
【００９７】
また、第２の個別一覧・可能処理項目表示画面３０には、Non-Secure Contentsの分類項目に属する音楽コンテンツに対する可能な処理を示す項目の１つとして、音楽コンテンツをＵＳＢメモリにコピーする処理を示す項目（図５におけるCopy via USB）が、この項目を選択可能な操作ボタン３４として表示されている。
【００９８】
さらに、第２の個別一覧・可能処理項目表示画面３０には、Non-Secure Contentsの分類に属する音楽コンテンツに対する可能な処理を示す項目の１つとして、音楽コンテンツをＣＤに書き込む処理を示す項目（図５におけるBurn on CD）が、この項目を選択可能な操作ボタン３５として表示されている。
【００９９】
さらにまた、第２の個別一覧・可能処理項目表示画面３０には、Non-Secure Contentsの分類に属する音楽コンテンツに対する可能な処理を示す項目の１つとして、音楽コンテンツをＳＤカード等のブリッジメディアにコピーする処理を示す項目（図５におけるCopy to Bridge Media）が、この項目を選択可能な操作ボタン３６として表示されている。
【０１００】
ユーザは、入力操作部５を用いて所望の操作ボタン３４，３５，３６を操作することによって、所望の項目を選択することができるようになっている。
【０１０１】
上記構成に加えて、さらに、処理装置本体２は、コンテンツ処理実行装置としてのコンテンツ処理実行部３８を有しており、このコンテンツ処理実行部３８には、記憶装置３および入力操作部５がそれぞれ接続されている。
【０１０２】
さらに、本実施形態において、処理装置本体２のコンテンツ処理実行部３８には、音楽コンテンツの処理の相手側となる相手側デバイス／メディア３９が、有線または無線によって接続されている。
【０１０３】
この相手側デバイス／メディア３９は、ホームＰＣ、ポータブルオーディオデバイス、ＳＤカード、ＵＳＢメモリ、ＣＤまたはブリッジメディアであてもよい。
【０１０４】
コンテンツ処理実行部３８は、ユーザが、第１の個別一覧・可能処理項目表示画面２０において、音楽コンテンツの一覧の中から任意の音楽コンテンツを選択し、かつ、音楽コンテンツに対する可能な処理を示す項目の一覧の中から任意の項目を選択した場合に、ユーザが選択した音楽コンテンツに対して、ユーザが選択した項目に示された処理を、相手側デバイス／メディア３９を相手側として実行するようになっている。
【０１０５】
例えば、第１の個別一覧・可能処理項目表示画面２０において、楽曲のタイトルが”ＣＣＣ”とされた音楽コンテンツと、タイトルが”ＪＪＪ”とされた音楽コンテンツとを、チエックボックス２１を用いて選択し、かつ、ＳＤカードに音楽コンテンツを移動する処理を示す項目を選択する操作ボタン２７を操作すると、”ＣＣＣ”、”ＪＪＪ”の２つの音楽コンテンツが、相手側デバイス／メディア３９としてのＳＤカードに移動されることになる。
【０１０６】
また、コンテンツ処理実行部３８は、ユーザが、第２の個別一覧・可能処理項目表示画面３０において、音楽コンテンツの一覧の中から任意の音楽コンテンツを選択し、かつ、音楽コンテンツに対する可能な処理を示す項目の一覧の中から任意の項目を選択した場合に、ユーザが選択した音楽コンテンツに対して、ユーザが選択した項目に示された処理を、相手側デバイス／メディア３９を相手側として実行するようになっている。
【０１０７】
例えば、第２の個別一覧・可能処理項目表示画面３０において、楽曲のタイトルが”ＫＫＫ”とされた音楽コンテンツと、タイトルが”ＬＬＬ”とされた音楽コンテンツとを、チエックボックス３１を用いて選択し、かつ、ＣＤに音楽コンテンツを書き込む処理を示す項目を選択する操作ボタン３５を操作すると、”ＫＫＫ”、”ＬＬＬ”の２つの音楽コンテンツが、相手側デバイス／メディア３９としてのＣＤに書き込まれることになる。
【０１０８】
上記構成以外にも、処理装置本体２は、オーディオ再生部４０を有しており、このオーディオ再生部４０には、記憶装置３、入力操作部５および音声出力部７がそれぞれ接続されている。
【０１０９】
オーディオ再生部４０は、ユーザが入力操作部５の操作によって選択した音楽コンテンツを記憶装置３から読み込んで音声に変換して音声出力部７に出力するようになっている。
【０１１０】
次に、本発明に係るコンテンツ処理方法の実施形態について説明する。
【０１１１】
なお、本実施形態におけるコンテンツ処理方法は、例えば、前述したコンテンツ処理装置１を用いることによって実施することができる。
【０１１２】
すなわち、本実施形態において、コンテンツ処理装置１を起動すると、コンテンツ一覧・著作権管理規格描画部８によって、記憶装置３から音楽コンテンツの付加情報と音楽コンテンツの著作権管理規格の情報とを読み出し、これらの読み出した情報を用いてコンテンツ一覧・著作権管理規格描画データを生成し、生成されたコンテンツ一覧・著作権管理規格描画データを表示処理部９に出力する。
【０１１３】
次いで、表示処理部９によって、コンテンツ一覧・著作権管理規格描画データを画像に変換して表示部６に表示する。
【０１１４】
これにより、図２に示した全表示画面１０を表示することができ、ユーザは、この全表示画面１０を見ることによって、音楽コンテンツに対応する著作権管理規格を容易に把握することができる。
【０１１５】
次いで、全表示画面１０において、ユーザによる入力操作部５の操作によって著作権管理規格個別表示画面１２を選択するためのタグ１２ａが選択されると、著作権管理規格一覧描画部１１によって、記憶装置３から、音楽コンテンツの著作権管理規格の情報を読み出し、この読み出した情報を用いて著作権管理規格一覧描画データを生成し、生成された著作権管理規格一覧描画データを表示処理部９に出力する。
【０１１６】
次いで、表示処理部９によって、著作権管理規格一覧描画データを画像に変換して表示部６に表示する。
【０１１７】
これにより、図３に示した著作権管理規格個別表示画面１２を表示することができる。
【０１１８】
次いで、著作権管理規格個別表示画面１２において、ユーザによる入力操作部５の操作によって所定の著作権管理規格を選択するための操作ボタン１４が操作されると、個別一覧・可能処理項目描画部１８によって、記憶装置３から、ユーザが選択した著作権管理規格の情報と、ユーザが選択した著作権管理規格の下で管理されている音楽コンテンツの付加情報とを読み出す。
【０１１９】
そして、個別一覧・可能処理項目描画部１８は、記憶装置３から読み出した情報を用いて第１の個別一覧・可能処理項目描画データを生成し、生成された第１の個別一覧・可能処理項目描画データを表示処理部９に出力する。
【０１２０】
次いで、表示処理部９は、第１の個別一覧・可能処理項目描画データを画像に変換して表示部６に表示する。
【０１２１】
これにより、図４に示した第１の個別一覧・可能処理項目表示画面２０を表示することができ、ユーザは、この第１の個別一覧・可能処理項目表示画面２０を見ることによって、所望の著作権管理規格の下で管理されている音楽コンテンツに対する可能な処理を容易に把握することができる。
【０１２２】
次いで、第１の個別一覧・可能処理項目表示画面２０において、ユーザによる入力操作部５の操作によって、音楽コンテンツの一覧の中から任意の音楽コンテンツが選択され、かつ、音楽コンテンツに対する可能な処理を示す項目の一覧の中から任意の項目が選択され場合に、コンテンツ処理実行部３８によって、ユーザが選択した音楽コンテンツに対して、ユーザが選択した項目に示された処理を、相手側デバイス／メディア３９を相手側として実行する。
【０１２３】
これにより、ユーザが、所望の音楽コンテンツに対して著作権管理規格に応じた可能な処理を簡便に行うことができる。
【０１２４】
一方、著作権管理規格個別表示画面１２において、ユーザによる入力操作部５の操作によって著作権管理規格の下で管理されていないことを示す音楽コンテンツの分類項目を選択するための操作ボタン１５が操作されると、個別一覧・可能処理項目描画部１８によって、記憶装置３から、著作権管理規格の下で管理されていない音楽コンテンツの付加情報を読み出す。
【０１２５】
そして、個別一覧・可能処理項目描画部１８は、記憶装置３から読み出した情報を用いて第２の個別一覧・可能処理項目描画データを生成し、生成された第２の個別一覧・可能処理項目描画データを表示処理部９に出力する。
【０１２６】
これにより、図５に示した第２の個別一覧・可能処理項目表示画面３０を表示することができ、ユーザは、この第２の個別一覧・可能処理項目表示画面３０を見ることによって、著作権管理規格の下で管理されていない音楽コンテンツに対する可能な処理を容易に把握することができる。
【０１２７】
次いで、第２の個別一覧・可能処理項目表示画面３０において、ユーザによる入力操作部５の操作によって音楽コンテンツの一覧の中から任意の音楽コンテンツが選択され、かつ、音楽コンテンツに対する可能な処理を示す項目の一覧の中から任意の項目が選択され場合に、コンテンツ処理実行部３８によって、ユーザが選択した音楽コンテンツに対して、ユーザが選択した項目に示された処理を、相手側デバイス／メディア３９を相手側として実行する。
【０１２８】
これにより、ユーザが、著作権管理規格によって管理されていない音楽コンテンツに対する可能な処理を簡便に行うことができる。
【０１２９】
以上述べたように、本実施形態によれば、ユーザが、音楽コンテンツに対応する著作権管理規格を容易に把握することができるので、著作権管理規格に応じた可能な処理を簡便に行うことができ、利便性を向上させることができる。
【０１３０】
なお、本発明は、前述した実施の形態に限定されるものではなく、必要に応じて種々の変更が可能である。
【０１３１】
例えば、同一の著作権管理規格の下で管理されているコンテンツ同士の間で、コンテンツに対する可能な処理が異なる場合があり得るが、このような場合を想定して、ユーザが選択した著作権管理規格の下で管理されているコンテンツに対する可能な処理を示す項目の一覧を、当該著作権管理規格の下で管理されているコンテンツごとに個別に表示するようにしてもよい。
【０１３２】
この場合、例えば、図４に示した個別一覧・可能処理項目表示画面２０において、チェックボックス２１のチエック、すなわち、音楽コンテンツの選択が変わると、個別一覧・可能処理項目表示画面２０に表示される音楽コンテンツに対する可能な処理を示す項目２５，２６，２７の数および／または内容に変動が生じ得ることとなる。このような処理は、個別一覧・可能処理項目描画部１８によって行うようにすればよい。
【０１３３】
このようにすれば、ユーザが、所望の音楽コンテンツに対する可能な処理をさらに確実に把握することができる。なお、このような音楽コンテンツに対する可能な処理についての音楽コンテンツごとの個別の表示は、著作権管理規格の下で管理されていない音楽コンテンツに適用してもよい。
【０１３４】
また、個別一覧・可能処理項目描画部１８および表示処理部９は、著作権管理規格個別表示画面１２においてユーザが著作権管理規格を選択した後に、このユーザが選択した著作権管理規格に属する音楽コンテンツを分類する分類項目の一覧（以下、分類項目一覧と称する）を、この分類項目一覧の中からユーザが任意の分類項目を選択可能な状態として表示部６に表示する処理を行うようにしてもよい。
【０１３５】
この場合に、前記分類項目一覧は、例えば、一世代のコピーが可能であることを示す分類項目や、音楽コンテンツの再生の日時の制限がかかっていることを示す分類項目等を含むものであってもよい。
【０１３６】
そして、個別一覧・可能処理項目描画部１８および表示処理部９は、前記分類項目一覧の中からユーザが任意の分類項目を選択した場合に、このユーザが選択した分類項目に属する音楽コンテンツに対する可能な処理を示す分類項目の一覧を、このユーザが選択した分類項目に属する音楽コンテンツの一覧とともに表示部６に表示するようにしてもよい。
【０１３７】
このようにすれば、個別一覧・可能処理項目表示画面２０の場合よりもさらにユーザの希望に沿った音楽コンテンツの一覧および可能な処理を示す項目の一覧を表示することができる。
【０１３８】
なお、このような場合でも、ユーザが選択した著作権管理規格の下で管理されているコンテンツに対する可能な処理を示す項目の一覧が、当該ユーザが選択した著作権管理規格の下で管理されているコンテンツの一覧とともに表示部６に表示されることに代りはない。
【０１３９】
このような個別一覧・可能処理項目描画部１８および表示処理部９による前記分類項目一覧の表示をともなう動作は、著作権管理規格個別表示画面１２において、著作権管理規格の下で管理されていないことを示す分類項目が選択された場合にも適用することができる。
【０１４０】
さらに、本発明は、映像コンテンツに適用してもよいことは勿論である。
【０１４１】
さらにまた、本発明は、車載機に適用してもよく、車載機以外の機器（例えば、ホームＰＣ）に適用してもよい。
【図面の簡単な説明】
【０１４２】
【図１】本発明に係るコンテンツ処理装置の実施形態を示すブロック図
【図２】本発明に係るコンテンツ処理装置およびコンテンツ処理方法の実施形態において、全表示画面を示す図
【図３】本発明に係るコンテンツ処理装置およびコンテンツ処理方法の実施形態において、著作権管理規格個別表示画面を示す図
【図４】本発明に係るコンテンツ処理装置およびコンテンツ処理方法の実施形態において、第１の個別一覧・可能処理項目表示画面を示す図
【図５】本発明に係るコンテンツ処理装置およびコンテンツ処理方法の実施形態において、第２の個別一覧・可能処理項目表示画面を示す図
【符号の説明】
【０１４３】
１  コンテンツ処理装置
３  記憶装置
６  表示部
８  コンテンツ一覧・著作権管理規格描画部
９  表示処理部
１０  全表示画面
１１  著作権管理規格一覧描画部
１２  著作権管理規格個別表示画面
１８  個別一覧・可能処理項目描画部
２０，３０  個別一覧・可能処理項目表示画面
３８  コンテンツ処理実行部
【図１】
2007257766.tif 000003
【図２】
2007257766.tif 000004
【図３】
2007257766.tif 000005
【図４】
2007257766.tif 000006
【図５】
2007257766.tif 000007